(57)【要約】【課題】本体箱内部に設置したゲーム難度設定スイッチに対する不正を確実に防し、ホール従業員のゲーム難度設定スイッチへの操作性を良好とするスロットマシンを提供する。【解決手段】下部前扉１２を、下端側が水平方向の軸周りに回転するように本体箱４の下部に連結し、上端側が前側に突出して開く構造としている。また、前記下部前扉の上部に連結し、前記本体箱の後面側に向けて延在して配置したパネル体２４を、下部扉を開くと前記本体箱の後面側から前記口部側まで移動するようにし、このパネル体の後面側にゲーム難度設定スイッチ３２を配置するとともに、前記下部前扉を開いたときにメダル払い出し装置の供給部に臨むメダル供給口３４を設けた。【選択図】        図３
2005185485.tif 000002
【特許請求の範囲】
【請求項１】
本体箱の上部空間にドラムユニットを配置し、下部空間にメダル払い出し装置を設置し、前記本体箱の前面開口部に、前記ドラムユニットを被う上部前扉と、前記メダル払い出し装置を被う下部前扉とを上下に配置するとともに、前記本体箱内に、ゲーム難度を変更するゲーム難度設定スイッチを配置してなるスロットマシンにおいて、
前記上部前扉及び前記下部前扉の一方の扉に、当該一方の扉の裏に連結して前記本体箱の後面側に向けて延在する扉連動部材を配置するとともに、この扉連動部材の前記本体箱の後面側の位置に前記ゲーム難度設定スイッチを配置したことを特徴とするスロットマシン。
【請求項２】
前記下部前扉を、下端側が水平方向の軸周りに回転するように前記本体箱の下部に連結し、上端側が前側に突出して開く構造とし、前記扉連動部材を、前記下部前扉の上部に連結し、前記本体箱の後面側に向けて延在して配置し、前記下部扉を開くと前記本体箱の後面側から前記口部側まで移動するパネル体とし、このパネル体の後面側に前記ゲーム難度設定スイッチを配置するとともに、前記パネル体に、前記下部前扉を開いたときに前記メダル払い出し装置の供給部に臨むメダル供給口を設けたことを特徴とする請求項１記載のスロットマシン。
【発明の詳細な説明】
【技術分野】
【０００１】
本発明は、本体箱の内部にゲーム難度設定スイッチを設置しているスロットマシンに関する。
【背景技術】
【０００２】
スロットマシンは、中空の本体箱の上部空間に、複数の回転ドラムを連装したドラムユニットを格納し、下部空間に、ゲームの成立に伴って払い出すメダルを貯留するメダル払い出し装置を格納し、本体箱の前面開口部に、ドラムユニットを覆う上部前扉とメダル払い出し装置を覆う下部前扉を配置している。そして、メダルをメダル投入口に投入し、レバー操作により回転ドラムを回転させ、所定のタイミングで停止スイッチを押して回転ドラムを停止させて、回転ドラムの周面に表した図柄が所定の組合せとなってゲームが成立したときに、メダル払い出し装置から払い出されるメダルが受け皿に排出されるようになっている。（例えば、特許文献１）。
【特許文献１】特開平１０−５２５２５号公報
【発明の開示】
【発明が解決しようとする課題】
【０００３】
ところで、スロットマシンには、熟練者向きのゲーム状態から素人向きのゲーム状態まで複数段階にゲーム難度を変更できるゲーム難度設定スイッチを本体箱内に設置しており、ホール従業員は、毎日、各スロットマシンのゲーム難度設定スイッチを操作してゲーム難度を変更している。通常、このゲーム難度設定スイッチは、ホール従業員のスイッチ操作性を考慮して、下部前扉のすぐ裏、即ち本体箱の前面開口部近くに設置している。
しかし、本体箱の前面開口部近くにゲーム難度設定スイッチを設置すると、閉じている下部前扉の隙間から針金形状の特殊器具を挿入し、不正にゲーム難度設定スイッチを操作してゲーム難度を下げてメダルを不当に獲得しようとする、所謂「ゴト」が行われるおそれがある。
【０００４】
そこで、下部前扉の隙間から特殊器具を挿入しても、特殊器具がとどかないような本体箱の後面側にゲーム難度設定スイッチを設置することが考えられるが、本体箱の後面側にゲーム難度設定スイッチを設置すると、ホール従業員のスイッチ操作性が悪くなり、各スロットマシンのゲーム難度を変更するために多大な時間を費やしてしまうおそれがある。
本発明は上記事情に鑑みてなされたものであり、本体箱内部に設置したゲーム難度設定スイッチに対する不正を確実に防止することができると同時に、ホール従業員のゲーム難度設定スイッチへの操作性を良好とすることができるスロットマシンを提供することを目的としている。
【課題を解決するための手段】
【０００５】
上記課題を解決するために、請求項１記載の発明は、本体箱の上部空間にドラムユニットを配置し、下部空間にメダル払い出し装置を設置し、前記本体箱の前面開口部に、前記ドラムユニットを被う上部前扉と、前記メダル払い出し装置を被う下部前扉とを上下に配置するとともに、前記本体箱内に、ゲーム難度を変更するゲーム難度設定スイッチを配置してなるスロットマシンにおいて、前記上部前扉及び前記下部前扉の一方の扉に、当該一方の扉の裏に連結して前記本体箱の後面側に向けて延在する扉連動部材を配置するとともに、この扉連動部材の前記本体箱の後面側の位置に前記ゲーム難度設定スイッチを配置した。
【０００６】
また、請求項２記載の発明は、請求項１記載のスロットマシンにおいて、前記下部前扉を、下端側が水平方向の軸周りに回転するように前記本体箱の下部に連結し、上端側を前側に出して開く構造とし、前記扉連動部材を、前記下部前扉の上部に連結し、前記本体箱の後面側に向けて延在して配置し、前記下部前扉を開くと前記本体箱の後面側から前記口部側まで移動するパネル体とし、このパネル体の後面側に前記ゲーム難度設定スイッチを配置するとともに、前記パネル体に、前記下部扉を開いたときに前記メダル払い出し装置の供給部に臨むメダル供給口を設けている。
【発明の効果】
【０００７】
本発明のスロットマシンによると、上部前扉及び下部前扉の一方の扉に、当該一方の扉の裏に連結して本体箱の後面側に向けて延在する扉連動部材を配置し、この扉連動部材の本体箱の後面側の位置に前記ゲーム難度設定スイッチを配置しており、一方の扉を閉じているときにはゲーム難度設定スイッチが本体箱の後面側に位置し、扉の隙間から特殊器具を挿入しても、特殊器具はゲーム難度設定スイッチにとどかないので、不正を確実に防止することができる。また、一方の扉を開けると、この一方の扉とともに連動する扉連動部材の移動により、ゲーム難度設定スイッチが開口部の近くに位置するので、ホール従業員がゲーム難度設定スイッチを変更する際の操作性を良好とすることができる。
【発明を実施するための最良の形態】
【０００８】
以下、本発明に係るスロットマシンの１実施形態について、図面を参照して説明する。
図１は、スロットマシン２の外観を示す図、図２は、スロットマシン２の内部構造を示す側方断面図、図３は、下部前扉を開けたスロットマシン２の下側を示す斜視図である。
図１、図２に示すように、スロットマシン２は、中空の本体箱４の上部空間に複数の回転ドラムを連装したドラムユニット６を格納し、下部空間にメダル払い出し装置８を格納している。本体箱４の前面開口部の上部には、前面開口部の縁の左側部に設けたヒンジ１４を介して連結してドラムユニット６を覆う上部前扉１０を配置している。また、本体箱４の前面開口部の下部には、メダル払い出し装置８から払い出されたメダルＭを受ける受け皿１１を設けているとともに、メダル払い出し装置８を覆う下部前扉１２を配置している。
【０００９】
上部前扉１０は、メダルＭを投入するメダル投入口１６と、回転ドラムを回転させるレバー１８と、回転ドラムを停止させる停止スイッチ２０等とを設けており、レバー１８及び停止スイッチ２０は、本体箱４内に配置した遊技制御装置２２に電気的に接続している。
下部前扉１２は、下端側が水平方向に軸Ｐが延在する回転軸１３周りに回転するように本体箱４の下部に連結しており、上端側が前側に突出して開く構造としている。
【００１０】
この下部前扉１２の上部には、本体箱４の後面４ａに延在して配置した直方体形状のパネル体２４が連結している。すなわち、パネル体２４の４隅にはガイドローラ２６が回転自在に固定されている。そして、下部前扉１２の内壁には一対のガイド溝２８が上下方向に延在して設けられており、これらガイド溝２８にパネル体２４の前側のガイドローラ２６が係合している。また、本体箱４の内壁には、前面開口部側から後面４ａ側に延在してガイド部材３０が固定されており、このガイド部材３０にパネル体２４の前側のガイドローラ２６が係合している。
【００１１】
そして、下部前扉１２を開くと、パネル体２４は、ガイド溝２８に係合しつつガイド部材３０に案内されながら前面開口部側に移動してくる。
ここで、パネル体２４の後面４ａに位置する上面には、ゲーム難度設定スイッチ３２が配置され、遊技制御装置２２に電気的に接続している。また、パネル体２４の中央位置に、メダル供給口３４を設けている。このメダル供給口は、下部前扉１２を開いたときに、メダル払い出し装置８の供給部に臨むようになっている。
【００１２】
本実施形態のスロットマシン２は、メダルＭをメダル投入口１６に投入し、レバー１８の操作によりドラムユニット６の回転ドラムを回転させ、所定のタイミングで停止スイッチ２０を押して回転ドラムを停止させ、回転ドラムの周面に表した図柄が所定の組合せとなってゲームが成立したときに、メダル払い出し装置８から払い出されるメダルＭが受け皿１１に排出される。
【００１３】
上記構成のスロットマシン２によると、下部前扉１２を閉じているときには、パネル体２４に配置したゲーム難度設定スイッチ３２が、本体箱４の後面４ａの近くに位置（下部前扉１２から最も遠い位置）となり、下部前扉１２の隙間から針金形状の特殊器具を挿入しようとしても、特殊器具がゲーム難度設定スイッチ３２にとどかないので、「ゴト」を確実に防止することができる。
また、下部前扉１２を開けると、この下部前扉１２とともにパネル体２４が前面開口部側に移動し、ゲーム難度設定スイッチ３２が前面開口部の近くに位置するので、ホール従業員がゲーム難度設定スイッチ３２を変更する際の操作性を良好とすることができる。
【００１４】
さらに、下部前扉１２を開けてパネル体２４が前面開口部側に移動すると、パネル体２４に設けたメダル供給口３４が、メダル払い出し装置８の供給部に臨む位置となるので、メダルＭを入れたメダル供給カップ（図示せず）をメダル供給口３４に向けて傾ける動作を行うだけで、簡単にメダル払い出し装置８の供給部にメダルＭを供給することができる。したがって、さらにホール従業員の作業性を良好とすることができる。
なお、本実施形態の下部前扉１２は、上端側が前側に突出して開く構造としたが、上部前扉１０と同様に、前面開口部の縁の側部にヒンジを介して連結することで開閉する構造とし、この扉の上部に、前述したパネル体２４を連結する構造としても、同様の効果を奏することができる。
【図面の簡単な説明】
【００１５】
【図１】本発明に係るスロットマシンの外観を示す斜視図である。
【図２】図１のII-II線の矢視方向から示した断面図である。
【図３】本発明に係るスロットマシンの下部前扉を開けた状態を示す斜視図である。
【符号の説明】
【００１６】
２  スロットマシン
４  本体箱
４ａ  本体箱の後面
６  ドラムユニット
８  メダル払い出し装置
１０  上部前扉
１１  受け皿
１２  下部前扉
１３  回転軸
１８  レバー
２０  停止スイッチ
２２  遊技制御装置
２４  パネル体
２６  ガイドローラ
２８  ガイド溝
３０  ガイド部材
３２  ゲーム難度設定スイッチ
３４  メダル供給口
Ｍ  メダル
【図１】
2005185485.tif 000003
【図２】
2005185485.tif 000004
【図３】
2005185485.tif 000005